(57)【要約】      （修正有）【課題】スライド開閉式通気機構部付き保護帽を提供する。【解決手段】保護帽本体２の頂部領域に設けられ、カバー兼スライド体３１の前、後へのスライド操作により保護帽本体２内への外気の通気遮断を行うクローズ状態と、保護帽本体２内への外気の通気を行うオープン状態とに切り替え可能なスライド開閉式通気機構部１１を有し、このスライド開閉式通気機構部１１は、保護帽本体２の頂部領域に前後方向に設けた貫通長穴１２と、両側長辺部に前後方向に設けた一対のレール２２と、前後方向の通気長穴２４とを有するレール体２１と、レール体２１より短い寸法の上面部３２と、上面部３２の両側長辺部から各々垂下したレール体２１の一対のレール２２にスライド可能に係合する一対のスライド係合片３５とを有するカバー兼スライド体３１とを備える構成とした。【選択図】図８
2014221952.tif 000002
【特許請求の範囲】
【請求項１】
頭部に被着する保護帽本体と、前記保護帽本体の頂部領域に設けられ、前、後へのスライド操作により保護帽本体内への外気の通気遮断を行うクローズ状態と、保護帽本体内への外気の通気を行うオープン状態とに切り替え可能なスライド開閉式通気機構部とを備えるスライド開閉式通気機構部付き保護帽であって、
前記スライド開閉式通気機構部は、
前記保護帽本体の頂部領域に前後方向に設けた略長方形状の貫通長穴と、
略上向きコ状で前記貫通長穴全体を塞ぐように固着されるとともに、両側長辺部に前後方向に設けた一対のレールと、前後方向の通気長穴と、前端側に設けた帽体壁と、後端側より前側にずらして設けた帽体壁と、を具備するレール体と、
前記レール体より短い寸法の略長方形状の上面部と、この上面部の両側長辺部から各々垂下した前記レール体の一対のレールに係合する一対のスライド係合片と、を具備し、前側へのスライド操作によるクローズ状態では、前記上面部の前端内面をレール体の前端側の帽体壁に密接させるとともに、上面部の後端内面をレール体の後端側から前側にずらした帽体壁に密接させて保護帽本体内への外気の通気を遮断し、後側へのスライド操作によるオープン状態では、前記上面部の後端側の内面をレール体の後端から前側にずらした帽体壁に密接させつつ前記上面部の前端内面をレール体の前端側の帽体壁より後方に移行させ、前記レール体の通気長穴を経て保護帽本体内への外気の通気を行うカバー兼スライド体と、
を有することを特徴とするスライド開閉式通気機構部付き保護帽。
【請求項２】
頭部に被着する保護帽本体と、前記保護帽本体の頂部領域に設けられ、前、後へのスライド操作により保護帽本体内への外気の通気遮断を行うクローズ状態と、保護帽本体内への外気の通気を行うオープン状態とに切り替え可能なスライド開閉式通気機構部とを備えるスライド開閉式通気機構部付き保護帽であって、
前記スライド開閉式通気機構部は、
前記保護帽本体の頂部領域にこの保護帽本体の形状に対応させつつ前後方向に設けた略長方形状の貫通長穴と、
略上向きコ状で前記貫通長穴の形状に対応させつつ前記貫通長穴全体を塞ぐように固着されるとともに、両側長辺部に前後方向に設けた一対のレールと、前後方向の通気兼スライド受長穴と、前後方向の通気長穴と、前端側に設けた帽体壁と、後端側より前側にずらして設けた帽体壁と、を具備するレール体と、
前記レール体の形状に対応させるとともに前記レール体より短い寸法の略長方形状の上面部と、この上面部の両側長辺部から各々垂下した前記レール体の一対のレールに係合する一対のスライド係合片と、前記上面部の裏面から突設され前記レール体の通気兼スライド受長穴の一部を占めるように嵌装した抜け止め用突起と、を具備し、前記抜け止め用突起を前記レール体の通気兼スライド受長穴に嵌装させつつ行う前側へのスライド操作によるクローズ状態では、前記上面部の前端内面をレール体の前端側の帽体壁に密接させるとともに、上面部の後端内面をレール体の後端側から前側にずらした帽体壁に密接させて保護帽本体内への外気の通気を遮断し、前記抜け止め用突起を前記レール体の通気兼スライド受長穴に嵌装させつつ行う後側へのスライド操作によるオープン状態では、前記上面部の後端側の内面をレール体の後端から前側にずらした帽体壁に密接させつつ、前記上面部の前端内面をレール体の前端側の帽体壁より後方に移行させて、前記レール体の通気長穴及び通気兼スライド受長穴を経て保護帽本体内への外気の通気を行うカバー兼スライド体と、
を有することを特徴とするスライド開閉式通気機構部付き保護帽。
【請求項３】
頭部に被着する保護帽本体と、前記保護帽本体の頂部領域に設けられ、前、後へのスライド操作により保護帽本体内への外気の通気遮断を行うクローズ状態と、保護帽本体内への外気の通気を行うオープン状態とに切り替え可能なスライド開閉式通気機構部とを備えるスライド開閉式通気機構部付き保護帽であって、
前記スライド開閉式通気機構部は、
前記保護帽本体の頂部領域にこの保護帽本体の形状に対応させつつ前後方向に設けた略長方形状で前端側、後端側を各々中央部が最も突出する突形状とした貫通長穴と、
前端側、後端側に各々前記貫通長穴の突形状に対応させた突形状を具備する略長方形状で、かつ、略上向きコ状で前記貫通長穴全体を塞ぐように固着されるとともに、両側長辺部に前後方向に設けた一対のレールと、一対のレール間の中央に前後方向に設けた通気兼スライド受長穴と、通気兼スライド受長穴の両側に前後方向に設けた通気長穴と、前端側に中央部を境として分割配置に設けた帽体壁と、後端側より前側にずらして、かつ、中央部を境として分割配置に設けた帽体壁と、前端側の分割配置の帽体壁の間に設けた受け凹部と、後端側より前側にずらした分割配置の帽体壁の間に設けた受け凹部と、を具備するレール体と、
前記レール体の形状に対応させるとともに、前記レール体より短い寸法で、かつ、前端側、後端側に各々前記レール体の突形状に対応させた突形状を具備し、前端側、後端側の突形状中央部に各々前記レール体の前端側、後端側の各受け凹部に嵌着する嵌着突起を具備する略長方形状の上面部と、この上面部の両側長辺部から各々垂下した前記レール体の一対のレールに係合する一対のスライド係合片と、前記上面部の裏面から突設され前記レール体の通気兼スライド受長穴の一部を占めるように嵌装した抜け止め用突起と、を具備し、前記抜け止め用突起を前記レール体の通気兼スライド受長穴に嵌装させつつ行う前側へのスライド操作によるクローズ状態では、前記上面部の前端内面をレール体の前端側の帽体壁に密接させ、かつ、前端側の嵌着突起をレール体の前端側の受け凹部に嵌着させ、後端側の嵌着突起をレール体の後端側の受け凹部に嵌着させるとともに、上面部の後端内面をレール体の後端側から前側にずらした帽体壁に密接させて保護帽本体内への外気の通気を遮断し、前記抜け止め用突起を前記レール体の通気兼スライド受長穴に嵌装させつつ行う後側へのスライド操作によるオープン状態では、前記上面部の後端側の内面をレール体の後端から前側にずらした帽体壁に密接させつつ前記上面部の前端内面をレール体の前端側の帽体壁より後方に移行させ、前記レール体の通気長穴及び通気兼スライド受長穴を経て保護帽本体内への外気の通気を行うカバー兼スライド体と、
を有することを特徴とするスライド開閉式通気機構部付き保護帽。
【請求項４】
前記レール体は、前記レール体における前端側の帽体壁の幅方向外壁部に設けた凹部と、前記カバー兼スライド体におけるスライド係合片の前端近傍の内側に設けた前記凹部と対応配置の凸部と、からなるクローズ時ロック機構部と、
前記レール体における後端側の帽体壁の幅方向外壁部に設けた凹部と、前記カバー兼スライド体におけるスライド係合片の内側に設けた前記凹部と対応配置の凸部と、からなるオープン時ロック機構部と、
を有することを特徴とする請求項１乃至３のいずれかに記載のスライド開閉式通気機構部付き保護帽。
【請求項５】
前記スライド開閉式通気機構部は、前記保護帽本体の頂部領域において２個並列配置に設けられていることを特徴とする請求項１乃至４のいずれかに記載のスライド開閉式通気機構部付き保護帽。
【発明の詳細な説明】
【技術分野】
【０００１】
本発明は、雨天時において頭部への雨水の浸水を確実に防止でき、また、雨天時以外においては頭部への十分な通気量を得ることができるスライド開閉式通気機構部付き保護帽に関するものである。
【背景技術】
【０００２】
従来、例えば、自動二輪車やスクーター等の走行時に運転者が頭部に着用するヘルメット等の保護帽においては、特に雨天時に頭部への雨水の浸水が無いこと、雨天時以外においては十分な通気量による快適な通気性が得られることが当然に要請される。
【０００３】
しかし、従来の一般的な保護帽の場合、雨天時に頭部へ雨水が浸水し運転者が不快な思いをしたり、頭部への雨水の浸水を防止する機能は有していても天候変化時の切り換え操作が煩雑である等の問題を包含している。
【０００４】
特許文献１には、シェルの頂部の前後にベンチレーション用の前側及び後側貫通孔を形成し、これら貫通孔を開閉する頂部開閉機構を備え、頂部開閉機構は、前側及び後側貫通孔を囲んで取付ける取付ベースを有し、この取付ベースは、両側に空気ガイド壁を具備し、この取付ベースの前側にスライド板を設け、取付ベースの後側で後側貫通孔の上部に揺動板を設けることにより構成したヘルメットが提案されている。
【０００５】
しかし、このヘルメットの場合、シェルの頂部の前後にベンチレーション用の前側及び後側貫通孔を形成した構成を採用するものであり、雨天時以外において十分な通気量による通気性を得ることは難しいものと推定される。
【先行技術文献】
【特許文献】
【０００６】
【特許文献１】特開２０００−１２９５２９号公報
【発明の概要】
【発明が解決しようとする課題】
【０００７】
本発明が解決しようとする問題点は、雨天時において頭部への雨水の浸水を確実に防止でき、また、雨天時以外においては頭部への十分な通気量を得ることができ、天候変化時の切り換え操作性にも優れるような保護帽が存在しない点である。
【課題を解決するための手段】
【０００８】
本発明に係る保護帽は、頭部に被着する保護帽本体と、前記保護帽本体の頂部領域に設けられ、前、後へのスライド操作により保護帽本体内への外気の通気遮断を行うクローズ状態と、保護帽本体内への外気の通気を行うオープン状態とに切り替え可能なスライド開閉式通気機構部とを備えるスライド開閉式通気機構部付き保護帽であって、前記スライド開閉式通気機構部は、前記保護帽本体の頂部領域に前後方向に設けた略長方形状の貫通長穴と、略上向きコ状で前記貫通長穴全体を塞ぐように固着されるとともに、両側長辺部に前後方向に設けた一対のレールと、前後方向の通気長穴と、前端側に設けた帽体壁と、後端側より前側にずらして設けた帽体壁と、を具備するレール体と、前記レール体より短い寸法の略長方形状の上面部と、この上面部の両側長辺部から各々垂下した前記レール体の一対のレールに係合する一対のスライド係合片と、を具備し、前側へのスライド操作によるクローズ状態では、前記上面部の前端内面をレール体の前端側の帽体壁に密接させるとともに、上面部の後端内面をレール体の後端側から前側にずらした帽体壁に密接させて保護帽本体内への外気の通気を遮断し、後側へのスライド操作によるオープン状態では、前記上面部の後端側の内面をレール体の後端から前側にずらした帽体壁に密接させつつ前記上面部の前端内面をレール体の前端側の帽体壁より後方に移行させ、前記レール体の通気長穴を経て保護帽本体内への外気の通気を行うカバー兼スライド体と、を有することを最も主要な特徴とする
【発明の効果】
【０００９】
請求項１乃至３記載の発明によれば、保護帽本体の頂面領域に雨水がかかる雨天時において保護帽本体内への雨水の浸水を完全に防止でき、雨天時以外においては頭部への十分な通気量を得ることができ、天候変化時のカバー兼スライド体の切り換え操作性にも優れるスライド開閉式通気機構部付き保護帽を実現し提供することができる。
【００１０】
請求項４記載の発明によれば、クカバー兼スライド体のローズ時ロック機構部、オープン時ロック機構部を備えることにより、雨天時において保護帽本体内への雨水の浸水を確実に防止でき運転者が不快な思いをすることが無くなり、また、晴天時等において保護帽本体内への外気の通気を確実に確保でき、運転者は頭部に熱気がこもるというような不快な思いをすることが無いという効果をも奏するスライド開閉式通気機構部付き保護帽を実現し提供することができる。
【００１１】
請求項５記載の発明によれば、２個の各スライド開閉式通気機構部を備えることにより、上述した効果を奏することに加え、２個のスライド開閉式通気機構部のうちの一方をクローズ状態、他方をオープン状態とするような切り換え態様とすることもでき、外気温度等の状況に容易に対応可能なスライド開閉式通気機構部付き保護帽を実現し提供することができる。
【図面の簡単な説明】
【００１２】
【図１】図１は本発明の実施例に係るスライド開閉式通気機構部付き保護帽の正面図である。
【図２】図２は本実施例に係るスライド開閉式通気機構部付き保護帽の背面図である。
【図３】図３は本実施例に係るスライド開閉式通気機構部付き保護帽の平面図である。
【図４】図４は本実施例に係るスライド開閉式通気機構部付き保護帽の底面図である。
【図５】図５は本実施例に係るスライド開閉式通気機構部付き保護帽の右側面図である。
【図６】図６は本実施例に係るスライド開閉式通気機構部付き保護帽におけるレール体の概略平面図である。
【図７】図７は本実施例に係るスライド開閉式通気機構部付き保護帽におけるカバー兼スライド体の概略底面図である。
【図８】図８は本実施例に係るスライド開閉式通気機構部付き保護帽におけるスライド開閉式通気機構部のクローズ時の状態を示す概略平面図である。
【図９】図９は本実施例に係るスライド開閉式通気機構部付き保護帽におけるスライド開閉式通気機構部のオープン時の状態を示す概略平面図である。
【発明を実施するための形態】
【００１３】
本発明は、雨天時において頭部への雨水の浸水を確実に防止でき、また、雨天時以外においては頭部への十分な通気量を得ることができ、天候変化時の切り換え操作性にも優れるスライド開閉式通気機構部付き保護帽を提供するという目的を、頭部に被着する保護帽本体と、前記保護帽本体の頂部領域に設けられ、前、後へのスライド操作により保護帽本体内への外気の通気遮断を行うクローズ状態と、保護帽本体内への外気の通気を行うオープン状態とに切り替え可能なスライド開閉式通気機構部とを備えるスライド開閉式通気機構部付き保護帽であって、前記スライド開閉式通気機構部は、前記保護帽本体の頂部領域にこの保護帽本体の形状に対応させつつ前後方向に設けた略長方形状の貫通長穴と、略上向きコ状で前記貫通長穴の形状に対応させつつ前記貫通長穴全体を塞ぐように固着されるとともに、両側長辺部に前後方向に設けた一対のレールと、前後方向の通気兼スライド受長穴と、前後方向の通気長穴と、前端側に設けた帽体壁と、後端側より前側にずらして設けた帽体壁と、を具備するレール体と、前記レール体の形状に対応させるとともに前記レール体より短い寸法の略長方形状の上面部と、この上面部の両側長辺部から各々垂下した前記レール体の一対のレールに係合する一対のスライド係合片と、前記上面部の裏面から突設され前記レール体の通気兼スライド受長穴の一部を占めるように嵌装した抜け止め用突起と、を具備し、前記抜け止め用突起を前記レール体の通気兼スライド受長穴に嵌装させつつ行う前側へのスライド操作によるクローズ状態では、前記上面部の前端内面をレール体の前端側の帽体壁に密接させるとともに、上面部の後端内面をレール体の後端側から前側にずらした帽体壁に密接させて保護帽本体内への外気の通気を遮断し、前記抜け止め用突起を前記レール体の通気兼スライド受長穴に嵌装させつつ行う後側へのスライド操作によるオープン状態では、前記上面部の後端側の内面をレール体の後端から前側にずらした帽体壁に密接させつつ前記上面部の前端内面をレール体の前端側の帽体壁より後方に移行させ、前記レール体の通気長穴及び通気兼スライド受長穴を経て保護帽本体内への外気の通気を行うカバー兼スライド体と、を有する構成により実現した。
【実施例】
【００１４】
以下、本発明の実施例に係るスライド開閉式通気機構部付き保護帽について図面を参照して詳細に説明する。
【００１５】
本実施例に係るスライド開閉式通気機構部付き保護帽１は、図１乃至図５に示すように、例えばポリプロピレンやＡＢＳ樹脂などの合成樹脂製で、内面に衝撃吸収材を配置することにより構成され、自動二輪車等の走行時に運転者が頭部に被着する保護帽本体２と、前記保護帽本体２の頂部領域で、最頂部両側に位置して前後方向に間隔を隔て、かつ、前側の間隔を広く後側の間隔を狭くした態様で並列配置した２個のスライド開閉式通気機構部１１、１１とを有している。
【００１６】
なお、本実施例において、保護帽本体２、スライド開閉式通気機構部１１に関する前後の位置関係を図３、図６、図７に示すように定義して以下の説明を行う。
【００１７】
前記スライド開閉式通気機構部１１、１１は、前、後へのスライド操作により保護帽本体２内への外気の通気遮断を行うクローズ状態と、保護帽本体２内への外気の通気を行うオープン状態とに各々切り替え可能に構成している。
【００１８】
前記２個のスライド開閉式通気機構部１１、１１は、同一構成であるため、以下には一方のスライド開閉式通気機構部１１について、図６、図７をも参照して詳述する。
【００１９】
前記スライド開閉式通気機構部１１は、前記保護帽本体２の頂部領域で最頂部両側に位置してこの保護帽本体２の形状に対応させて前後方向に弧状に曲げつつ形成した平面視略長方形状で前端側、後端側を各々中央部が最も突出する突形状とした貫通長穴１２を具備し、この貫通長穴１２に組み込んだレール体２１及びカバー兼スライド体３１を備えている。
【００２０】
前記レール体２１は、図１、図４、図６等に示すように、前端側、後端側に各々前記貫通長穴１２の突形状に対応させた突形状を具備し、前記貫通長穴１２に対応させて前後方向に弧状に曲げ形成されるとともに平面視略長方形状で、かつ、略上向きコ状で前記貫通長穴１２全体を塞ぐように固着されている。
【００２１】
前記レール体２１の前記貫通長穴１２に対する固着は、図示していないが前記貫通長穴１２に設けた４個のリブを用いて行うものである。
前記レール体２１は、図６に詳細に示すように、両側長辺部に前後方向に設けた一対のレール２２と、当該一対のレール２２間の中央に前後方向に、かつ、間隔を隔てて設けた２個の通気兼スライド受長穴２３と、通気兼スライド受長穴２３の両側に前後方向に、かつ、間隔を隔てて設けた片側２個、合計４個の通気長穴２４と、前端側に中央部を境として分割配置に設けた一対の帽体壁２５と、後端側より前側にずらして、かつ、中央部を境として分割配置に設けた一対の帽体壁２６と、前端側の分割配置の一対の帽体壁２５の間に設けた前端側の受け凹部２７と、後端側より前側にずらした分割配置の一対の帽体壁２６の間に設けた後端側の受け凹部２８と、前記レール体２１における前端側の一対の帽体壁２５の幅方向外壁部に設けたクローズ時ロック機構部を構成する凹部２９と、前記レール体２１における後端側の一対の帽体壁２６の幅方向外壁部に設けたオープン時ロック機構部を構成する凹部３０と、を具備している。
【００２２】
前記カバー兼スライド体３１は、図７に示すように、前記レール体２１の突形状に対応させた突形状を具備し、かつ、前記レール体２１に対応させて前後方向に弧状に曲げ形成されるとともに、平面視略長方形状で前記レール体２１より短い寸法に形成している。
前記カバー兼スライド体３１は、前端側、後端側の各突形状中央部に、各々前記レール体２１の前端側、後端側の各受け凹部２７、２８に着脱可能に嵌着する嵌着突起３３、３４を具備する平面視略長方形状で、かつ、上面に複数の台形状部分を設けた上面部３２と、この上面部３２の両側長辺部から各々垂下した前記レール体２１の一対のレール２２に係合する一対のスライド係合片３５と、前記上面部３２の裏面において前後方向中央部から各々間隔をもって突設され、前記レール体２１の２個の通気兼スライド受長穴２３の一部を占めるように各々嵌装する前記カバー兼スライド体３１の抜け止め防止用の一対の抜け止め用突起３６と、前記カバー兼スライド体３１における一対のスライド係合片３５の前端近傍の内側に各々設けた前記レール体２１の凹部２９と対応配置のクローズ時ロック機構部を構成する凸部３７と、前記カバー兼スライド体３１における一対のスライド係合片３５の内側に各々設けた前記レール体２１の凹部３０と対応配置のオープン時ロック機構部を構成する凸部３８と、を具備している。
【００２３】
次に、本実施例に係るスライド開閉式通気機構部付き保護帽１の動作について、前記スライド開閉式通気機構部１１のスライド切り換え状態を主にし、図８、図９を参照して説明する。
【００２４】
図８は、保護帽本体２の頂面領域に雨水がかかる雨天時において、前記カバー兼スライド体３１を前端側にスライド操作し、このカバー兼スライド体３１をレール体２１に対してクローズ状態とした場合を示すものである。
【００２５】
また、図９は晴天時や曇天時等において、前記カバー兼スライド体３１を後端側にスライド操作し、このカバー兼スライド体３１をレール体２１に対してオープン状態とした場合を示すものである。
【００２６】
前記カバー兼スライド体３１の抜け止め用突起３６を、前記レール体２１の通気兼スライド受長穴２３に嵌装させつつ行うカバー兼スライド体３１の前側への例えばワンタッチのスライド操作によるクローズ状態では、前記上面部３２の前端内面をレール体２１の前端側の帽体壁２５の上面に密接させ、かつ、前端側の嵌着突起３３をレール体２１の前端側の受け凹部２７に嵌着させ、更に後端側の嵌着突起３４をレール体２１の後端側の受け凹部２８に嵌着させるとともに、上面部３２の後端内面をレール体２１の後端側から前側にずらした帽体壁２６の上面に密接させる。
【００２７】
これにより、前記通気長穴２４及び前記通気兼スライド受長穴２３は、前記カバー兼スライド体３１によって完全に覆われ、保護帽本体２の頂面領域に雨水がかかる雨天時において保護帽本体２内への外気の通気が遮断され、同時に雨水の保護帽本体２内への浸水も完全に防止される。
【００２８】
また、上述したようなカバー兼スライド体３１のレール体２１に対するクローズ状態においては、前記レール体２１の一対の凹部２９に、前記カバー兼スライド体３１の一対の凸部３７が各々嵌入し、これにより、カバー兼スライド体３１はクローズ時ロック状態となって、安定してその状態を維持するので、雨天時において保護帽本体２内への外気の通気や雨水の浸水を確実に防止でき運転者が不快な思いをすることが無くなる。
【００２９】
一方、晴天時等において、前記抜け止め用突起３６を前記レール体２１の通気兼スライド受長穴２３に嵌装させつつ行うカバー兼スライド体３１の後側への例えばワンタッチのスライド操作による図９に示すようなオープン状態では、前記上面部３２の後端側の内面をレール体２１の後端から前側にずらした帽体壁２６の上面に密接させつつ前記上面部３２の前端内面をレール体２１の前端側の帽体壁２５より後方に移行させる。
【００３０】
このとき、前端側の嵌着突起３３はレール体２１の前端側の受け凹部２７から後方に移行し、また、後端側の嵌着突起３４は後端側の受け凹部２８から後方に移行する。
【００３１】
これにより、前記カバー兼スライド体３１の前端側から前記レール体２１の通気長穴２４及び通気兼スライド受長穴２３を経て保護帽本体２内への外気の流路が形成される。
【００３２】
この結果、晴天時等においては、スライド開閉式通気機構部付き保護帽１を被着している運転者の頭髪等に前記通気長穴２４及び通気兼スライド受長穴２３を経て十分な量の外気（空気）が流入することになり、運転者は快適な使用感を得ることができる。
【００３３】
また、上述したようなカバー兼スライド体３１のレール体２１に対するオープン状態においては、前記レール体２１の一対の凹部３０に、前記カバー兼スライド体３１の一対の凸部３８が各々嵌入し、これにより、カバー兼スライド体３１はオープン時ロック状態となって、安定してその状態を維持するので、晴天時等において保護帽本体２内への外気の通気を確実に確保でき、運転者は頭部に熱気がこもるというような不快な思いをすることが無くなる。
【００３４】
上述したようなカバー兼スライド体３１のクローズ状態、オープン状態の作用効果は２個のスライド開閉式通気機構部１１、１１において同様である。
【００３５】
また、運転者は、外気温度等の状況に応じて２個のスライド開閉式通気機構部１１、１１のうちの一方をクローズ状態、他方をオープン状態とするような切り換え態様を採用することももちろん可能である。
【００３６】
以上説明した本実施例によれば、雨天時において頭部への雨水の浸水を確実に防止でき、また、雨天時以外においては頭部への十分な通気量を得ることができ、天候変化時における前記カバー兼スライド体３１の切り換え操作性にも優れるスライド開閉式通気機構部付き保護帽１を実現し提供することができる。
【００３７】
また、本実施例のスライド開閉式通気機構部付き保護帽１によれば、保護帽本体２の頂面領域に上記構成のスライド開閉式通気機構部１１を設けた構成としているので、保護帽本体２と、スライド開閉式通気機構部１１との２重構造となり、従来のものより強度が増強するという利点も存するものである。
【産業上の利用可能性】
【００３８】
本発明は、上述したような一般的な形状の保護帽に適用する他、フルフェースタイプ等のような各種形状の保護帽に広範に適用可能であるとともに、自動二輪車等用の保護帽に限らず土木、建築等のような屋外作業を行う作業者用の保護帽等にも適用可能である。
【符号の説明】
【００３９】
１    スライド開閉式通気機構部保護帽
２    保護帽本体
１１    スライド開閉式通気機構部
１２    貫通長穴
２１    レール体
２２    レール
２３    通気兼スライド受長穴
２４    通気長穴
２５    帽体壁
２６    帽体壁
２７    受け凹部
２８    受け凹部
２９    凹部
３０    凹部
３１    カバー兼スライド体
３２    上面部
３３    嵌着突起
３４    嵌着突起
３５    スライド係合片
３６    抜け止め用突起
３７    凸部
３８    凸部
【図１】
2014221952.tif 000003
【図２】
2014221952.tif 000004
【図３】
2014221952.tif 000005
【図４】
2014221952.tif 000006
【図５】
2014221952.tif 000007
【図６】
2014221952.tif 000008
【図７】
2014221952.tif 000009
【図８】
2014221952.tif 000010
【図９】
2014221952.tif 000011